(57)【要約】【課題】犬等による給水管の突き上げ等により給水ボトルが動こうとしてもこの動きを止め、取付金具の給水ボトルを保持している部分に力を及ぼすことがないようにする【解決手段】取付金具の基材部をケージ等に取り付けるための取付部を備え、給水ボトルをこの取付金具に保持するため、給水ボトルの側面に沿った基材部の下端に、給水管を通過させる孔を有する口部受板と、基材部の上端に、給水ボトルが突き上げられるのを停止させる底面停止板を備え、この底面停止板の先に、上方に折り曲がる折り曲げ部を設け、この折り曲げ部の先に給水ボトルの底部を保持する可動底部保持部を備え、給水ボトルの底部付近の側面を挟持する可動底部保持部の底部挟持部を備え、上記折り曲げ部から先の可動底部保持部が上方に折り曲がった時に可動底部保持部の底部挟持部が給水ボトルの底部付近の側面の挟持を解除するようにした給水ボトル取付金具 【選択図】図１
2005117983.tif 000002
【特許請求の範囲】
【請求項１】
水を充填するボトルの口にキャップが着脱自在に取り付けられ、このキャップにはボトル内と連通する給水管が取り付けられ、この給水管の先端内部には小球状のバルブが備えられている給水ボトルを上下逆さにペット用ケージ等に取り付ける取付金具において、
取付金具の基材部をケージ等に取り付けるための取付部を備え、
給水ボトルをこの取付金具に保持するため、給水ボトルの側面に沿った基材部の下端に、給水管を通過させる長孔を有し給水ボトルの荷重を受ける口部受板を備え、
基材部の上端に、給水ボトルが突き上げられるのを停止させる底面停止板を備え、この底面停止板の先に、上方に折り曲がる折り曲げ部を設け、この折り曲げ部の先に給水ボトルの底部を保持する可動底部保持部を備え、さらにこの可動底部保持部は、底面当り板部と、底面当り板部から給水ボトルの側面に沿って下方に伸びて給水ボトルの底部付近の側面を挟持する底部挟持部とを備え、
上記折り曲げ部から先の可動底部保持部が上方に折り曲がった時に可動底部保持部の底部挟持部が給水ボトルの底部付近の側面の挟持を解除するようにした、取付金具に対する給水ボトルの取り出しと装着をすることを特徴とした給水ボトル取付金具。
【請求項２】
取付部として、基材部をケージ等の縦線に沿わせ２枚の挟持板でケージの縦線と基材部とを合わせて固定することを特徴とする請求項１の給水ボトル取付金具。
【請求項３】
取付部として、基材部に取付金具をケージ等の横線に引っ掛ける掛止部を備えたことを特徴とした請求項２の給水ボトル取付金具。
【請求項４】
取付部として、基材部に、取付金具を挟持板に引っ掛ける掛止部を備えたことを特徴とした請求項２の給水ボトル取付金具。
【請求項５】
取付部として、基材部に孔を有する掛止部を縦に２つ備え、取付金具をネジ止めで固定することを特徴とした請求項１の給水ボトル取付金具。
【請求項６】
給水管の給水ボトル側上端を、キャップの、給水ボトルの水を受ける面とほぼ同じか下方に位置するようにした給水ボトルを保持することを特徴とする請求項１の給水ボトル取付金具
【発明の詳細な説明】
【技術分野】
【０００１】
本発明は、ケージ又は室内外等で飼っている子犬等のペット用小動物に飲み水を与える給水ボトルの取付金具に関する。
【背景技術】
【０００２】
従来から、ケージ又は室内外等で飼っている子犬等のペット用小動物に飲み水を与える用具として、飲み水を充填するボトル本体の口にキャップが着脱自在に備えられ、このキャップには飲み水の給水管が突出しており、この給水管の先端に小球状のバルブが内装された給水ボトルが従来より市販されており、この給水ボトルは上下逆さに向けた状態で、ケージ等に取り付けられる。
【０００３】
この給水ボトルをケージ等固定の可能な場所に取り付けるホルダーは、ケージの外側に取り付けることができるため、水の補充や新鮮な水に入れ換える作業も簡単に行えるようにしてある。上記従来例である図８において、６はホルダー、６１は基材部、６２は蝶番、６３は可動保持部、７は給水ボトル、８は給水管である。そのため水の補充のときにホルダー６から給水ボトル７を容易に取り外せるように蝶番６２を用い給水ボトルの底板を覆う給水ボトル保持部分全体の可動保持部６３を上方に折り曲げる構造にしていた。
【発明の開示】
【発明が解決しようとする課題】
【０００４】
しかし、図８で示すように犬等の小動物は給水管８をかんだり、給水ボトル７の水が少しになったときに給水管８を押したり突き上げたりすると給水ボトル７が動かされ、この給水ボトル７が蝶番６２の先の給水ボトル底部の保持部分全体である可動保持部６３を押し上げる。すると蝶番６２が少し動き可動保持部６３である給水ボトルの保持部分が給水ボトル７から少しずれてしまい給水ボトル７の取付にガタつきが生じてしまう。よって、給水ボトル７がホルダー６を介しケージ等にしっかり固定されていないので犬等が給水管８を押したときに給水ボトル７が動いてしまう。
【発明の効果】
【０００５】
本発明では、小動物である犬等による給水管の突き上げ等により給水ボトルが動こうとしてもこの給水ボトルの動きを取付金具として一体に形成される底面停止板で受止め、取付金具の給水ボトルを保持している部分に力を及ぼすことがないようにしたため、給水ボトルの適正な保持状態が保たれる。
【発明を実施するための最良の形態】
【０００６】
（１）水を充填するボトルの口にキャップが着脱自在に取り付けられ、このキャップにはボトル内と連通する給水管が取り付けられ、この給水管の先端内部には小球状のバルブが備えられている給水ボトルを上下逆さにペット用ケージ等に取り付ける取付金具において、取付金具の基材部をケージ等に取り付けるための取付部を備え、給水ボトルをこの取付金具に保持するため、給水ボトルの側面に沿った基材部の下端に、給水管を通過させる長孔を有し給水ボトルの荷重を受ける口部受板を備え、基材部の上端に、給水ボトルが突き上げられるのを停止させる底面停止板を備え、この底面停止板の先に、上方に折り曲がる折り曲げ部を設け、この折り曲げ部の先に給水ボトルの底部を保持する可動底部保持部を備え、さらにこの可動底部保持部は、底面当り板部と、底面当り板部から給水ボトルの側面に沿って下方に伸びて給水ボトルの底部付近の側面を挟持する底部挟持部とを備え、上記折り曲げ部から先の可動底部保持部が上方に折り曲がった時に可動底部保持部の底部挟持部が給水ボトルの底部付近の側面の挟持を解除するようにした、取付金具に対する給水ボトルの取り出しと装着をする給水ボトル取付金具。
（２）取付部として、基材部をケージ等の縦線に沿わせ２枚の挟持板でケージの縦線と基材部とを合わせて固定することを特徴とする第１項の給水ボトル取付金具。
（３）取付部として、基材部に取付金具をケージ等の横線に引っ掛ける掛止部を備えたことを特徴とした第２項の給水ボトル取付金具。
（４）取付部として、基材部に、取付金具を挟持板に引っ掛ける掛止部を備えたことを特徴とした第２項の給水ボトル取付金具。
（５）取付部として、基材部に孔を有する掛止部を縦に２つ備え、取付金具をネジ止めで固定することを特徴とした第１項の給水ボトル取付金具。
（６）給水管の給水ボトル側上端を、キャップの、給水ボトルの水を受ける面とほぼ同じか下方に位置するようにした給水ボトルを保持することを特徴とする第１項の給水ボトル取付金具。
【実施例】
【０００７】
図１は取付金具の可動底部保持部を上げた状態を示す給水ボトルを備えた取付金具の斜視図、図２は給水ボトルを保持した状態を示す取付金具の斜視図、図３は給水ボトルを保持した取付金具の側面図、図４は給水ボトルを保持した取付金具の断面図、図５は給水ボトルを保持した取付金具の底面図、図６はケージに取り付けた取付金具の一部斜視図、図７はケージに取り付けた取付金具の一部斜視図、図８は従来の取付金具の可動底部保持部を上げた状態を示す給水ボトルを備えたホルダーの側面図である。
【０００８】
１は取付金具、１０は基材部、１１は口部受板、１２は長孔、１３は底面停止板、１４は折り曲げ部である蝶番、１５は可動底部保持部、１５１は底面当り板部、１５２、１５３は底部挟持部、１６は掛止部、１７は掛止部、２は給水ボトル、２１はキャップ、３は給水管、４１，４２は挟持板、４３は角根ボルト、４４は蝶ナット、５はケージである。
従来例である図８において、６はホルダー、６１は基材部、６２は蝶番、６３は可動保持部、７は給水ボトルである。
【０００９】
先ず本発明の取付金具１を犬等のケージに固定する方法を説明する。なお、取付金具１は取付に関係する基材部１０、底面停止板１３、掛止部１６、１７、２枚の挟持板４１、４２、挟持板４１、４２用の角根ボルト４３及び蝶ナット４４のみを示す。
図６には、一部ケージの横線に掛止部１６を掛け、挟持板４１をケージ５の内側から挟持板４２をケージ５の外側から基材部１０とケージの縦線を挟み込むようにし、ケージ５の内側から挟持板４１、４２の各々２つの長孔に回転を規制する角根ボルト４３を差込み、ケージ５の外側からこれを蝶ナット４４で締めて固定したものが示してある。
【００１０】
次に図７には横線のないケージが示されている。挟持板４１、４２を用い取付金具を図６と同様に挟んでいる。取り付ける基材部１０の位置が異なるだけである。挟持板４１、４２の取付位置は図６，７に示した基材部１０の位置に規制されるものでなく、基材部１０のどこの位置でもよい。
【００１１】
本発明の取付金具１はケージ５だけでなく柱等に固定することも可能である。図時は省略するが、例えば柱が木材であるとすれば、基材部１０に付けられた掛止部１６及び１７のネジ孔１６１、１７１に木ネジ等で柱に固定すればよい。
【００１２】
次にケージ等に固定された取付金具１に給水ボトル２を取り付ける方法を説明する。給水ボトル２の給水管３の付いたキャップ２１を外し、給水ボトル２に水を入れる。入れ終えると給水ボトル２の口に給水管付きのキャップ２１をはめる。次に可動底部保持部１５を上方に持ち上げると蝶番１４を中心として可動底部保持部１５が上方に回転する。次に図４の断面図で示すように上下逆さにした給水ボトル２を少し斜めにし給水管３を取付金具の長孔１２に差し入れる。取付金具１の長孔１２は長孔１２とケージの面に対し横方向には規制されているが、長孔１２の長手方向には給水管３が斜めに入れるほどの余裕がある。次に給水管３がケージ５の内側に入るようにして給水ボトル２の側面を取付金具１の基材部１０に当てると給水ボトル２は基材部１０の下端に構成された口部受板１１の長孔１２で上述したように規制されるとともに、給水ボトル２の荷重は口部受板１１で受けられる。さらに可動底部保持部１５を図１の状態から図２の状態になるように下ろす。すると可動底部保持部１５は蝶番１４を中心として下方に回転し、図２に示すように基材部１０と底部挟持部１５２との間、また相対する底部挟持部１５３間に付勢力を保有させて確実に給水ボトル２の底部を挟持できるようになる。以上のようにして給水ボトル２が取付金具１を介してケージ等に固定される。
またこの底部挟持部１５２，１５３の各先端は多少曲面を持って外側に広げられているため給水ボトル２への押入れがスムーズにできるようになっている。
【００１３】
次に、この取付金具１によりケージ等に固定された給水ボトル２から子犬等が水を飲む動作を説明する。給水ボトル２の水は給水管３に供給されるが、給水管３の中の水は小球のバルブ３１で止められている。
今犬等が給水管の小球のバルブ３１を舌でなめたり、口先で押したりするとこの小球のバルブ３１が押し込められることで、給水管３の先端に隙間ができ、この隙間から水が流れでる。犬等は舌でなめるようにして水を飲むことができる。
【００１４】
水が少なくなると給水ボトル２全体が軽くなるため、犬等が給水管３を押したりすると給水ボトル２が前後左右方向の力を受けたり、持ち上げられたりして上方の力を受ける。給水ボトル２が上方向の力を受けると、取付金具１の基材部１０の上端に構成された底板停止板１３を押し上げようとするが、底板停止板１３はケージに固定された基材部１０と一体で形成されているため、底板停止板１３はこの力を受け止める。よって取付金具１の蝶番１４は影響を受けない。また、給水ボトル２による上方向の力は取付金具１の可動底部保持部１５の底面当り板部１５１も押し上げようとするが、先に述べた底板停止板１３で規制されてしまい可動底部保持部１５が押し上げられることはない。給水管が前後左右に押されることで取付金具の口受板部１１を支点として給水ボトルの底部が逆方向に動こうとするが、前後方向は基材部１０と可動底部保持部１５の底部挟持部１５２とにより規制され、横方向の力は、相対する底部挟持部１５３により規制される。よって、給水ボトル２がペットによりいかなる力を受けようとも取付金具１のよる給水ボトル２の挟持状態に影響を及ぼすことはない。
【００１５】
給水ボトル２に装着される送水管３の取付方として、給水ボトル２の水がなくなるまで送水管３に供給できる構造にした。すなわち給水管の上端を、キャップの、給水ボトルの水を受ける面とほぼ同じか下方に位置するように取り付けた。一例として送水管３の上部をキャップ２１の送水筒部２２で溶接することで構成できる。
【産業上の利用可能性】
【００１６】
以上ケージ又は室内外等で飼っている子犬等のペット用小動物に飲み水を与える給水ボトルの取付金具について説明したが、本発明の範囲は、この給水ボトル取付金具の機能を使用するものであれば、上述したことに限定されるものではない。
【図面の簡単な説明】
【００１７】
【図１】取付金具の可動底部保持部を上げた状態を示す給水ボトルを備えた取付金具の斜視図、
【図２】は給水ボトルを保持した状態を示す取付金具の斜視図、
【図３】は給水ボトルを保持した取付金具の側面図、
【図４】は給水ボトルを保持した取付金具の断面図、
【図５】給水ボトルを保持した取付金具の底面図、
【図６】ケージに取り付けた取付金具の一部斜視図、
【図７】ケージに取り付けた取付金具の一部斜視図、
【図８】従来の取付金具の可動底部保持部を上げた状態を示す給水ボトルを備えたホルダーの側面図
【符号の説明】
【００１８】
１    取付金具
１０  基材部
１１  口部受板
１２  長孔
１３  底面停止板
１４  蝶番
１５  可動底部保持部
１５１底面当り板部
１５２底部挟持部
１５３底部挟持部
１６  掛止部
１７  掛止部
２    給水ボトル
２１  キャップ
３    給水管
４１  挟持板
４２  挟持板
５    ケージ
６    ホルダー
６１  基材部
６２  蝶番
６３  可動保持部
７    給水ボトル
【図１】
2005117983.tif 000003
【図２】
2005117983.tif 000004
【図３】
2005117983.tif 000005
【図４】
2005117983.tif 000006
【図５】
2005117983.tif 000007
【図６】
2005117983.tif 000008
【図７】
2005117983.tif 000009
【図８】
2005117983.tif 000010